(57)【要約】【課題】  フレーム同士を簡単に接続することができる、フレームの接続具を提供する。【解決手段】  第１フレーム１は、一の面１ａに開口する溝１０１を有する。第２フレーム２は、端面２ａに開口する通孔２０３を有する。接続具３は、第１フレーム１と第２フレーム２とを、第１フレーム１の一の面１ａに第２フレーム２の端面２ａが向くようにして接続する。この接続具３は、本体４と第１挿入部５と第２挿入部６と取付ネジ７とを備える。本体４は、一方の端面４ａが第１フレーム１の一の面１ａと対向し、他方の端面４ｂが第２フレーム２の端面２ａと対向する。第１挿入部５は、本体４の一方の端面４ａから突出して溝１０１に挿入される。第２挿入部６は、本体４の他方の端面４ｂから突出して通孔２０３に挿入される。そして、一本の取付ネジ７の回動操作により、第１挿入部５が溝１０１に係止され、第２挿入部６が通孔に係止される。【選択図】  図７
2005061564.tif 000002
【特許請求の範囲】
【請求項１】
長手方向に延びる一の面に開口する第１の開口部を有した第１フレームと、端面に開口する第２の開口部を有した第２フレームとを、前記第１フレームの前記一の面に前記第２フレームの前記端面が向くようにして接続する、接続具であって、
一方の端面が前記第１フレームの前記一の面と対向するとともに、他方の端面が前記第２フレームの前記端面と対向する本体と、
前記本体の前記一方の端面から突出して前記第１の開口部に挿入される第１挿入部と、
前記本体の前記他方の端面から突出して前記第２の開口部に挿入される第２挿入部と、
前記本体に設けられて、その本体の、前記一方および他方の端面を除く周面側から回動操作可能な一本の取付ネジとを、備え、
前記取付ネジの回動操作により、前記第１挿入部が前記第１の開口部に係止されるとともに、前記第２挿入部が前記第２の開口部に係止されることを特徴とする、フレームの接続具。
【請求項２】
前記第１フレームは、前記第１の開口部となる、長手方向に延びる溝が形成された、型材からなり、
前記第１挿入部は、前記溝の、長手方向の所要の位置に挿入されることを特徴とする請求項１に記載の、フレームの接続具。
【請求項３】
前記第２フレームは、前記第２の開口部となる、長手方向に延びる通孔が形成された、型材からなり、
前記本体は、前記第２フレームと同一断面形状であって、前記他方の端面が、前記第２フレームの前記端面と一致するように突き合わされることを特徴とする請求項２に記載の、フレームの接続具。
【請求項４】
前記第１フレームの前記溝は、その開口側に、溝幅を狭めるように突出する突条部を有しており、
前記第１挿入部は、その先端部分に、前記突条部の裏面と対向する張出し部を有し、
前記第２挿入部は、互いに分割された分割部から構成され、
前記取付ネジの回動操作により、前記第１挿入部が前記本体側に引き込まれて、前記張出し部が前記突条部の裏面を押圧するとともに、前記分割部が互いに離れるように相対移動して、それら分割部が前記第２の開口部の内面を押圧することを特徴とする請求項２または３に記載の、フレームの接続具。
【請求項５】
前記第１挿入部を有する第１部材と、
前記分割部を有する第２部材と、
前記取付ネジの回動操作により、その取付ネジの進む方向に移動し、前記第１部材を前記本体側に引き込む第１ガイド部材と、
前記第１部材が引き込こまれることで前記本体に相対的に近づく前記第１フレームの前記一の面に押されて移動し、前記第２部材を、前記分割部が互いに離れるように相対移動させる第２ガイド部材とを、備えることを特徴とする請求項４に記載の、フレームの接続具。
【請求項６】
前記取付ネジは、第１の押圧部を有し、
前記第１ガイド部材は、前記取付ネジとは別体であって、その取付ネジの進む方向に移動するよう、前記第１の押圧部に押される第１の被押圧部と、第２の押圧部とを有し、
前記第１部材は、前記本体側に引き込まれるよう、前記第２の押圧部に押される第２の被押圧部を有し、
前記第２ガイド部材は、前記第１フレームの前記一の面からなる第３の押圧部に押される第３の被押圧部と、第４の押圧部とを有し、
前記第２部材は、前記分割部が互いに離れるように相対移動するよう、前記第４の押圧部に押される第４の被押圧部を有することを特徴とする請求項５に記載の、フレームの接続具。
【請求項７】
前記第１挿入部を前記本体とは反対側に付勢するための、弾性材を備えることを特徴とする請求項４ないし６のいずれか１項に記載の、フレームの接続具。
【請求項８】
前記第１挿入部は、互いに分割された第１分割部から構成され、
前記第２挿入部は、互いに分割された第２分割部から構成され、
前記第１分割部と前記第２分割部とを有する、一方および他方の分割部材を備え、
前記一方の分割部材は、前記取付ネジが螺合する貫通状の雌ねじ部を有し、
前記他方の分割部材は、前記雌ねじ部に螺合した前記取付ネジの先端が当接する当接部を有し、
前記取付ネジの回動操作により、その取付ネジの先端が前記当接部を押し、前記一方および他方の分割部材が互いに離れるように相対移動して、前記第１分割部が前記第１の開口部の内面を押圧するとともに、前記第２分割部が前記第２の開口部の内面を押圧することを特徴とする請求項１ないし３のいずれか１項に記載の、フレームの接続具。
【発明の詳細な説明】
【技術分野】
【０００１】
この発明は、フレーム同士を接続する、フレームの接続具に関するものである。
【背景技術】
【０００２】
従来、フレーム同士を接続する接続具として、図１２および図１３に示される接続具があった（非特許文献１参照）。この接続具２１は、断面Ｌ字状に折り曲げられた金具２２と、二つのナット部材２３、２３と、二本の取付ネジ２４、２４とから構成されていた。ここで、各フレーム２５には、長手方向に延びる溝２５ａが形成されており、この溝２５ａは、その開口側に、溝幅を狭めるように突出する突条部２５ｂ、２５ｂを有していた。そこで、前記ナット部材２３が、それぞれのフレーム２５の溝２５ａに挿入された。そして、金具２２の各面が各フレーム２５の、溝２５ａが形成された側面に宛がわれた。その後、取付ネジ２４が、それぞれ、金具２２の各面に明けられた孔２２ａを通して、ナット部材２３にねじ込まれた。
【０００３】
【非特許文献１】株式会社イマオコーポレーション編「標準アルミ構造材」、２００１年４月、１３７頁
【発明の開示】
【発明が解決しようとする課題】
【０００４】
ところで、前記従来の接続具２１においては、フレーム２５、２５を接続するのに、二本の取付ネジ２４、２４を用いており、その接続作業が面倒であった。
【０００５】
この発明は、上記した従来の欠点を解決するためになされたものであり、その目的とするところは、フレーム同士を簡単に接続することができる、フレームの接続具を提供することにある。
【課題を解決するための手段】
【０００６】
この発明に係るフレームの接続具は、前記目的を達成するために、次の構成からなる。すなわち、
請求項１に記載の発明に係るフレームの接続具は、長手方向に延びる一の面に開口する第１の開口部を有する第１フレームと、端面に開口する第２の開口部を有する第２フレームとを、前記第１フレームの前記一の面に前記第２フレームの前記端面が向くようにして接続する、接続具である。この接続具は、一方の端面が前記第１フレームの前記一の面と対向するとともに、他方の端面が前記第２フレームの前記端面と対向する本体と、前記本体の前記一方の端面から突出して前記第１の開口部に挿入される第１挿入部と、前記本体の前記他方の端面から突出して前記第２の開口部に挿入される第２挿入部と、前記本体に設けられて、その本体の、前記一方および他方の端面を除く周面側から回動操作可能な一本の取付ネジとを、備える。そして、前記取付ネジの回動操作により、前記第１挿入部が前記第１の開口部に係止されるとともに、前記第２挿入部が前記第２の開口部に係止される。
【０００７】
こうして、第１フレームと第２フレームとを接続するにあたって、本体を、その一方の端面が第１フレームの一の面と対向するように、そして、他方の端面が第２フレームの端面と対向するように配置する。そして、本体の一方の端面から突出する第１挿入部を、第１フレームの第１の開口部に挿入するとともに、本体の他方の端面から突出する第２挿入部を、第２のフレームの第２の開口部に挿入する。そこで、本体に設けられた一本の取付ネジを、本体の周面側から回動操作することで、第１挿入部が第１の開口部に係止されるとともに、第２挿入部が第２の開口部に係止されて、これら第１および第２のフレームが接続される。
【０００８】
また、請求項２に記載の発明に係るフレームの接続具のように、請求項１に記載の接続具において、前記第１フレームは、前記第１の開口部となる、長手方向に延びる溝が形成された、型材からなり、前記第１挿入部は、前記溝の、長手方向の所要の位置に挿入されてもよい。
【０００９】
また、請求項３に記載の発明に係るフレームの接続具のように、請求項２に記載の接続具において、前記第２フレームは、前記第２の開口部となる、長手方向に延びる通孔が形成された、型材からなり、前記本体は、前記第２フレームと同一断面形状であって、前記他方の端面が、前記第２フレームの前記端面と一致するように突き合わされてもよい。このように、本体は、他方の他面が、第２フレームの端面と一致するように突き合わされることから、この本体と第２フレームとの一体感が増す。
【００１０】
また、請求項４に記載の発明に係るフレームの接続具のように、請求項２または３に記載の接続具において、前記第１フレームの前記溝は、その開口側に、溝幅を狭めるように突出する突条部を有しており、前記第１挿入部は、その先端部分に、前記突条部の裏面と対向する張出し部を有し、前記第２挿入部は、互いに分割された分割部から構成されてもよい。そして、前記取付ネジの回動操作により、前記第１挿入部が前記本体側に引き込まれて、前記張出し部が前記突条部の裏面を押圧するとともに、前記分割部が互いに離れるように相対移動して、それら分割部が前記第２の開口部の内面を押圧する。このように、取付ネジを回動操作することで、第１挿入部が本体側に引き込まれて、その第１挿入部の先端部分の張出し部が、第１フレームにおける溝の突条部の裏面を押圧し、第１挿入部は、溝に係止される。そして、第２フレームにおける第２の開口部に挿入された分割部が互いに離れるように相対移動して、それら分割部が第２の開口部の内面を押圧することで、分割部からなる第２挿入部は、第２の開口部に係止される。
【００１１】
また、請求項５に記載の発明に係るフレームの接続具のように、請求項４に記載の接続具において、前記第１挿入部を有する第１部材と、前記分割部を有する第２部材と、前記取付ネジの回動操作により、その取付ネジの進む方向に移動し、前記第１部材を前記本体側に引き込む第１ガイド部材と、前記第１部材が引き込こまれることで前記本体に相対的に近づく前記第１フレームの前記一の面に押されて移動し、前記第２部材を、前記分割部が互いに離れるように相対移動させる第２ガイド部材とを、備えてもよい。こうして、取付ネジを回動操作することで、第１ガイド部材が、取付ネジの進む方向に移動して、第１部材、すなわち第１挿入部を本体側に引き込み、第１挿入部は、溝に係止される。そして、第１部材が引き込まれることで、第１フレームは、本体に相対的に近づく。そこで、第２ガイド部材は、第１フレームの一の面に押されて移動し、第２部材を、その分割部が互いに離れるように相対移動させ、第２挿入部は、第２の開口部に係止される。
【００１２】
また、請求項６に記載の発明に係るフレームの接続具のように、請求項５に記載の接続具において、前記取付ネジは、第１の押圧部を有し、前記第１ガイド部材は、前記取付ネジとは別体であって、その取付ネジの進む方向に移動するよう、前記第１の押圧部に押される第１の被押圧部と、第２の押圧部とを有し、前記第１部材は、前記本体側に引き込まれるよう、前記第２の押圧部に押される第２の被押圧部を有し、前記第２ガイド部材は、前記第１フレームの前記一の面からなる第３の押圧部に押される第３の被押圧部と、第４の押圧部とを有し、前記第２部材は、前記分割部が互いに離れるように相対移動するよう、前記第４の押圧部に押される第４の被押圧部を有してもよい。
【００１３】
また、請求項７に記載の発明に係るフレームの接続具のように、請求項４ないし６のいずれか１項に記載の接続具において、前記第１挿入部を前記本体とは反対側に付勢するための、弾性材を備えるのが望ましい。こうして、張出し部を有する第１挿入部は、本体から離れる側に付勢されるので、この第１挿入部は、第１フレームの溝に容易に挿入される。
【００１４】
また、請求項８に記載の発明に係るフレームの接続具は、請求項１ないし３のいずれか１項に記載の接続具において、前記第１挿入部は、互いに分割された第１分割部から構成される。前記第２挿入部は、互いに分割された第２分割部から構成される。そして、接続具は、前記第１分割部と前記第２分割部とを有する、一方および他方の分割部材を備える。そこで、前記一方の分割部材は、前記取付ネジが螺合する貫通状の雌ねじ部を有し、前記他方の分割部材は、前記雌ねじ部に螺合した前記取付ネジの先端が当接する当接部を有する。そして、前記取付ネジの回動操作により、その取付ネジの先端が前記当接部を押し、前記一方および他方の分割部材が互いに離れるように相対移動して、前記第１分割部が前記第１の開口部の内面を押圧するとともに、前記第２分割部が前記第２の開口部の内面を押圧する。このように、分割部材が互いに離れるように相対移動して、第１分割部が第１フレームにおける第１の開口部の内面を押圧し、第２分割部が第２フレームにおける第２の開口部の内面を押圧することで、第１分割部からなる第１挿入部は、第１の開口部に係止され、第２分割部からなる第２挿入部は、第２の開口部に係止される。
【発明の効果】
【００１５】
以上、詳述したところから明らかなように、この発明に係るフレームの接続具によれば、次の効果がある。
請求項１ないし８に記載されたフレームの接続具によれば、本体に設けられた一本の取付ネジを、その本体の周面側から回動操作することで、第１のフレームと第２のフレームとを簡単に接続することができる。
【発明を実施するための最良の形態】
【００１６】
以下、この発明に係るフレームの接続具を実施するための最良の形態を図面に基づいて説明する。
【００１７】
図１ないし図８は、本発明に係るフレームの接続具の一実施の形態を示す。図中符号１は、第１フレームであり、この第１フレーム１は、長手方向に延びる一の面１ａに開口する第１の開口部１ｂを有している。２は、第２フレームであり、この第２フレーム２は、端面２ａに開口する第２の開口部２ｂを有している。３は、接続具であり、この接続具３は、第１フレーム１と第２フレーム２とを、第１フレーム１の一の面１ａに第２フレーム２の端面２ａが向くようにして接続するものである。
【００１８】
第１フレーム１は、図３に示すように、前記第１の開口部１ｂとなる、長手方向に延びる溝１０１が形成された、型材からなる。そして、この溝１０１は、その開口側に、溝幅を狭めるように突出する突条部１０２、１０２を有して、断面略Ｔ溝形状となっている。同様にして、第２フレーム２は、前記第２の開口部２ｂとなる、長手方向に延びる通孔２０３が形成された、型材からなる。図示実施の形態においては、第１フレーム１と第２フレーム２とは、同一の型材からなり、それぞれが、溝１０１、２０１と通孔１０３、２０３とを有している。そして、これら第１フレーム１と第２フレーム２とは、断面長方形形状であって、前記溝１０１、２０１と前記通孔１０３、２０３とが長手方向に延びるようにして並んで形成されている。そして、通孔１０３、２０３は、断面矩形形状に、図示実施の形態においては、断面正方形形状に形成されている。
【００１９】
接続具３は、本体４と、第１挿入部５と、第２挿入部６と、一本の取付ネジ７とを備えている。ここで、本体４は、その本体４の一方の端面４ａが、第１フレーム１の一の面１ａと対向するとともに、本体４の他方の端面４ｂが、第２フレーム２の端面２ａと対向するように配置される。第１挿入部５は、本体４の一方の端面４ａから突出して、第１フレーム１の溝１０１の、長手方向の所要の位置に挿入される。第２挿入部６は、本体４の他方の端面４ｂから突出して、第２フレーム２の通孔２０３に挿入される。そして、取付ネジ７は、本体４に設けられて、その本体４の、前記一方および他方の端面４ａ、４ｂを除く周面４ｃ側から、回動操作可能となっている。そこで、この取付ネジ７の回動操作（例えば、ねじ込み）により、第１挿入部５が、第１フレーム１の溝１０１に係止されるとともに、第２挿入部６が、第２フレーム２の通孔２０３に係止されるようになっている。
【００２０】
詳細には、第１挿入部５は、その先端部分に、第１フレーム１における溝１０１の突条部１０２、１０２の裏面と対向する張出し部５ａ、５ａを有している。第２挿入部６は、互いに分割された分割部６ａ、６ａから構成される。そこで、前記取付ネジ７の回動操作（例えば、ねじ込み）により、第１挿入部５が本体４側に引き込まれて、張出し部５ａ、５ａが第１フレーム１の突条部１０２、１０２の裏面を押圧するとともに、分割部６ａ、６ａが互いに離れるように相対移動して、それら分割部６ａ、６ａが第２フレーム２の通孔２０３の内面を押圧するようになっている。より詳細には、接続具３は、本体４の他に、第１挿入部５を有する第１部材８と、第２挿入部６となる分割部６ａ、６ａを有する第２部材９、９と、第１ガイド部材１０と、第２ガイド部材１１、１１とを備えている。そして、これら第１および第２部材８、９ならびに第１および第２ガイド部材１０、１１は、本体４に（図示実施の形態においては、後述する通孔部４ｄに）収容される。ここで、第１ガイド部材１０は、取付ネジ７の回動操作（例えば、ねじ込み）により、その取付ネジ７の進む方向に移動し、第１部材８を本体４側に引き込むものである。また、第２ガイド部材１１は、第１部材８が引き込まれることで本体４に相対的に近づく第１フレーム１の一の面１ａに押されて移動し、第２部材９、９を、分割部６ａ、６ａが互いに離れるように相対移動させるものである。
【００２１】
具体的には、本体４は、第２フレーム２と同一断面形状（すなわち断面が、形状同一かつサイズ同一）であって、他方の端面４ｂが、第２フレーム２の端面２ａと一致するように突き合わされる。すなわち、本体４は、第２フレーム２の通孔２０３と対応する通孔部４ｄと、第２フレーム２の溝２０１と対応する溝部４ｅとを有している。そして、この本体４の周面４ｃには、通孔部４ｄと連通するように、孔４ｆが明けられている。なお、図示実施の形態においては、本体４は、第２フレーム２と同一の型材からなる。
【００２２】
取付ネジ７は、第１の押圧部７ａを有している。この取付ネジ７は、その雄ねじ部７ｂよりも径大となった頭部７ｃを有しており、この頭部７ｃの、雄ねじ部７ｂ側の面が、前記第１の押圧部７ａとなっている。
【００２３】
第１ガイド部材１０は、取付ネジ７とは別体であって、その取付ネジ７の進む方向に移動するよう、取付ネジ７の第１の押圧部７ａに押される第１の被押圧部１０ａと、第２の押圧部１０ｂとを有している。この第１ガイド部材１０は、筒状に形成されており、その内側の孔１０ｃに、取付ネジ７の雄ねじ部７ｂが貫通するように挿入される。そして、この第１ガイド部材１０の、一方の面が、前記第１の被押圧部１０ａとなり、他方の面が、断面テーパー状に形成されて、前記第２の押圧部１０ｂとなっている。
【００２４】
第１部材８は、本体４側に引き込まれるよう、前記第２の押圧部１０ｂに押される第２の被押圧部８ａを有している。この第１部材８は、細長の略直方体形状をしており、その一方側が、前記張出し部５ａが形成された第１挿入部５となり、他方側に、傾斜面からなる前記第２の被押圧部８ａが形成されている。そして、この第２の被押圧部８ａは、第１部材８に明けられた、円錐形状を有する孔８ｂにおける、第１挿入部５とは反対側に位置する部分からなる。
【００２５】
第２ガイド部材１１は、第１フレーム１の前記一の面１ａからなる第３の押圧部１ｃに押される第３の被押圧部１１ａと、第４の押圧部１１ｂとを有している。この第２ガイド部材１１は、一対設けられている。そして、第２ガイド部材１１は、平板状であって、本体部が略矩形形状をしており、その本体部の一方側の端面が、前記第３の被押圧部１１ａとなり、本体部の他方側の端面から突出する、例えば楔状の突部１１ｃの両側に設けられた傾斜面が、前記第４の押圧部１１ｂとなっている。また、第２ガイド部材１１は、その本体部の一方側の端面から突出する位置決め片１１ｄを有している。そして、この位置決め片１１ｄが、第１フレーム１の溝１０１に挿入されることで、この第２ガイド部材１１、ひいては接続具３は、第１フレーム１に対して、溝１０１の幅方向において位置決めされる。なお、符号１１ｅは、この第２ガイド部材１１が、本体４から抜け出るのを防止する、抜止め突起である。
【００２６】
第２部材９は、その分割部６ａが互いに離れるように相対移動するよう、第２ガイド部材１１の第４の押圧部１１ｂに押される第４の被押圧部９ａを有している。この第２部材９は、一対設けられており、それら第２部材９、９は、その一方側で、前記第１部材８の他方側を挟むように位置している。ここで、第２部材９は、一方側の第２部材本体部９ｂと、他方側の前記分割部６ａとからなる。そして、第２部材本体部９ｂは、細長の略直方体形状をしている。そして、分割部６ａは、図１に示すように、第２部材本体部９ｂから、上下および互いに向かい合う側に幅広となるようにして延設されている。そして、この分割部６ａの、互いに向かい合う面に形成された傾斜面が、前記第４の被押圧部９ａとなっている。そして、この分割部６ａには、後述する弾性材１２が収容される収容部９ｃが形成されている。また、一方の第２部材９における第２部材本体部９ｂには、第１の孔９ｄが明けられている。そして、他方の第２部材９における第２部材本体部９ｂには、第２の孔９ｅが明けられている。さらに、その第２の孔９ｅの、背面側には、座ぐり孔９ｆが明けられており、この座ぐり孔９ｆに、前記第２の孔９ｅと連通するネジ孔９ｇを備えたナット９ｈが収容されている。
【００２７】
そこで、前記一対の第２ガイド部材１１、１１は、その一方が、一対の第２部材９、９における第２部材本体部９ｂ、９ｂの上面に渡され、そして、他方が、一対の第２部材９、９における第２部材本体部９ｂ、９ｂの下面に渡される。そして、この第２ガイド部材１１の第３の被押圧部１１ａは、第１フレーム１と第２フレーム２とが接続される前においては、本体４の一方の端面４ａよりも突出している（図６参照）。また、前記第１ガイド部材１０は、前記取付ネジ７の第１の押圧部７ａと前記第１部材８の第２の被押圧部８ａとの間に位置するように配備される。そして、取付ネジ７は、その頭部７ｃが、本体４の孔４ｆと一方の第２部材９の第１の孔９ｄに挿入され、そして、雄ねじ部７ｂが、第１ガイド部材１０の孔１０ｃと第１部材８の孔８ｂと他方の第２部材９の第２の孔９ｅに挿入され、ナット９ｈに螺合する。
【００２８】
また、この接続具３は、第１挿入部５を本体４とは反対側に付勢するための、弾性材１２を備えている。図示実施の形態においては、この弾性材１２は、コイルスプリング（板バネあるいはウレタン材であってもよい。）からなり、第２部材９、９の収容部９ｃ、９ｃに収容されて、第１部材８を、その他方側の端面８ｃを押すようにして付勢している。
【００２９】
次に、以上の構成からなる接続具３の作用効果について説明する。この接続具３によると、第１フレーム１と第２フレーム２とを接続するにあたって、図３に示すように、本体４を、その一方の端面４ａが第１フレーム１の一の面１ａと対向するように、そして、他方の端面４ｂが第２フレーム２の端面２ａと対向するように配置する。そして、図５および図６に示すように、本体４の一方の端面４ａから突出する第１挿入部５を、第１フレーム１の溝１０１に、長手方向の側端部開口から差し入れて挿入するとともに、本体４の他方の端面４ｂから突出する第２挿入部６（分割部６ａ、６ａ）を、第２フレーム２の通孔２０３に挿入する。このとき、張出し部５ａを有する第１挿入部５は、弾性材１２によって、本体４から離れる側に付勢されているので、この第１挿入部５は、第１フレーム１の溝１０１に容易に挿入される。
【００３０】
そこで、図７および図８に示すように、一本の取付ネジ７を、本体４の周面４ｃ側から回動操作すると（ねじ込むと）、第１の押圧部７ａが第１の被押圧部１０ａを押して、第１ガイド部材１０は、取付ネジ７の進む方向に移動する。この第１ガイド部材１０の移動により、第２の押圧部１０ｂが第２の被押圧部８ａを押して、第１部材８、すなわち第１挿入部５を本体４側に引き込む。こうして、その第１挿入部５の先端部分の張出し部５ａ、５ａが、第１フレーム１における溝１０１の突条部１０２、１０２の裏面を押圧し、第１挿入部５は、溝１０１に係止される。そして、第１部材８が引き込まれることで、第１フレーム１は、本体４に相対的に近づく。そこで、第２ガイド部材１１は、第３の被押圧部１１ａが第１フレーム１の一の面１ａ（第３の押圧部１ｃ）に押されて移動する。そして、この第２ガイド部材１１の移動により、第４の押圧部１１ｂが第４の被押圧部９ａを押して、第２部材９、９を、その分割部６ａ、６ａが互いに離れるように相対移動させる。こうして、それら分割部６ａ、６ａが、第２フレーム２の通孔２０３の内面を押圧し、分割部６ａ、６ａからなる第２挿入部６は、通孔２０３に係止される。このように、本体４に設けられた一本の取付ネジ７を、本体４の周面４ｃ側から回動操作することで、第１挿入部５が第１フレーム１の溝１０１に係止されるとともに、第２挿入部６が第２フレーム２の通孔２０３に係止されて、これら第１フレーム１と第２のフレーム２とが簡単に接続される。なお、このように第１フレーム１と第２フレーム２とが接続された状態では、取付ネジ７は、本体４の周面４ｃよりも沈んでおり、この取付ネジ７が周囲と干渉するのを避けることができる。
【００３１】
そして、第１フレーム１と第２フレーム２とを分離するには、取付ネジ７を、前記と逆方向に回動操作する（緩める）。こうすることで、第１挿入部５の、溝１０１への係止と、第２挿入部６の、通孔２０３への係止が解除される。そこで、第１挿入部５を溝１０１から外すとともに、第２挿入部６を通孔２０３から外す。こうして、接続具３は、第１フレーム１および第２フレーム２から取り外されて、それら第１フレーム１と第２フレーム２とが分離される。
【００３２】
また、第１フレーム１において、型材の溝１０１が、そのまま第１の開口部１ｂとなり、第２フレーム２において、型材の通孔２０３が、そのまま第２の開口部２ｂとなっている。そして、本体４の周面４ｃ側から取付ネジ７を回動操作することで、第１挿入部５が、第１の開口部１ｂとなった型材の溝１０１に係止され、第２挿入部６が、第２の開口部２ｂとなった型材の通孔２０３に係止されるることから、それら第１フレーム１と第２フレーム２とを接続するにあたって、これらの型材を後加工する必要がない。したがって、これら第１フレーム１と第２のフレーム２とを一層簡単に接続することができる。
【００３３】
また、本体４は、第２フレームと同一の型材からなることから、その型材を切断することで、本体４が容易に製作される。そして、本体４は、他方の端面４ｂが、第２フレーム２の端面２ａと一致するように突き合わされることから、この本体４と第２フレーム２との一体感が増す。特に、図示実施の形態においては、第２フレーム２の溝２０３が、本体４の溝部４ｅと連続することとなり、この本体４の溝部４ｅを、第２フレーム２の溝２０３の延長として、利用することができる。
【００３４】
なお、本発明は、上述した実施の形態に限定されるわけではなく、その他種々の変更が可能である。例えば、図９ないし図１１に示すように、第２挿入部６のみならず、第１挿入部５もまた、互いに分割された分割部から構成されてもよい。すなわち、この実施の形態においては、第１挿入部５は、互いに分割された第１分割部５０１、５０１から構成され、そして、第２挿入部６は、互いに分割された第２分割部６０１、６０１から構成される。そこで、接続具３は、第１分割部５０１と第２分割部６０１とを有する、一方および他方の分割部材１５、１５を備える。そして、一方の分割部材１５は、取付ネジ１６が螺合する貫通状の雌ねじ部１５ａを有する。また、他方の分割部材１５は、雌ねじ部１５ａに螺合した取付ネジ１６の先端が当接する当接部１５ｂを有する。そして、これら分割部材１５、１５は、本体４の通孔部４ｄに挿入される。そこで、本体４の周面４ｃ側からの、取付ネジ１６の回動操作（ねじ込み）により、その取付ネジ１６の先端が当接部１５ｂを押して、一方および他方の分割部材１５、１５が互いに離れるように相対移動する。この相対移動により、第１分割部５０１、５０１が、第１の開口部１ｂとしての第１フレーム１の溝１０１の内面（図示実施の形態においては、突条部１０２、１０２の対向面）を押圧するとともに、第２分割部６０１、６０１が、第２の開口部２ｂとしての第２フレーム２の通孔２０３の内面を押圧する。こうして、第１分割部５０１、５０１からなる第１挿入部５は、第１フレーム１の溝１０１に係止され、第２分割部６０１、６０１からなる第２挿入部６は、第２フレーム２の通孔２０３に係止される。このように、本体４に設けられた一本の取付ネジ１６を、本体４の周面４ｃ側から回動操作する（ねじ込む）ことで、第１挿入部５が第１フレーム１の溝１０１に係止されるとともに、第２挿入部６が第２フレーム２の通孔２０３に係止されて、これら第１フレーム１と第２のフレーム２とが簡単に接続される。また、反対に、第１フレーム１と第２フレーム２とを分離する場合は、取付ネジ１６を、前記と逆方向に回動操作する（緩める）ことで、第１挿入部５の、溝１０１への係止と、第２挿入部６の、通孔２０３への係止が解除される。
【００３５】
また、第１フレーム１と第２フレーム２とは、図示実施の形態に示すような断面形状に限定されないことは当然であり、また、両者は、同一の型材からならなくとも、別の型材、すなわち、断面形状が異なる型材からなっていてもよい。さらには、第１フレーム１と第２フレーム２とは、型材でなくともよい。
【００３６】
また、第２フレーム２における第２の開口部２ｂは、図示実施の形態に示すような通孔でなくてもよく、例えば、溝状のものであっても構わない。
【００３７】
また、本体４は、第２フレーム２と、同一断面形状でなくとも、異なる断面形状であってもよい。そして、この本体４は、必ずしも型材からならなくとも、切削等によって形成されてもよい。
【００３８】
また、第１ガイド部材１０は、取付ネジ７と別体でなくとも、一体に設けられてもよい（すなわち、取付ネジ７が第１ガイド部材１０の機能を兼用しても構わない。）。そして、ナット９ｈにおいても、第２部材９とは別に設けられなくとも、例えば、第２部材９の第２の孔９ｅにねじを切るようにして設けられてもよい。
【００３９】
また、第２部材９における第４の被押圧部９ａは、一対の第２部材９、９のそれぞれに設けられなくとも、一方のみに設けられてもよい。そして、この場合には、第２ガイド部材１１には、第４の被押圧部９ａと対応するように、突部１１ｃの片側のみに傾斜面となった第４の押圧部１１ｂが設けられる。
【００４０】
また、接続具３の構造は、図示実施の形態に限定されるものではなく、本体４の周面４ｃ側から、一本の取付ネジ７、１６を回動操作することで、第１挿入部５が溝１０１（第１の開口部１ｂ）に係止され、第２挿入部６が通孔２０３（第２の開口部２ｂ）に係止されるものであれば、どのような構造であってもよい。そして、接続具３は、第１フレーム１と第２フレーム２とを、直角に接続するものでなくとも、斜めに接続するものであってもよい。
【図面の簡単な説明】
【００４１】
【図１】この発明の一実施の形態の、接続具の分解斜視図である。
【図２】同じく、接続具の、一部を組み付けた分解斜視図である。
【図３】同じく、フレームを接続する過程を示す斜視図である。
【図４】同じく、フレームを接続した状態を示す斜視図である。
【図５】同じく、取付ネジをねじ込む前の、その取付ネジ部分で分断した横断面図である。
【図６】同じく、取付ネジをねじ込む前の、本体の上端付近で分断した横断面図である。
【図７】同じく、取付ネジをねじ込んだ後の、その取付ネジ部分で分断した横断面図である。
【図８】同じく、取付ネジをねじ込んだ後の、本体の上端付近で分断した横断面図である。
【図９】この発明の他の実施の形態の、接続具の分解斜視図である。
【図１０】同じく、取付ネジをねじ込む前の、横断面図である。
【図１１】同じく、取付ネジをねじ込んだ後の、横断面図である。
【図１２】従来の接続構造を示す、分解斜視図である。
【図１３】同じく、断面図である。
【符号の説明】
【００４２】
１  第１フレーム
１ａ  一の面
１ｂ  第１の開口部
１ｃ  第３の押圧部
２  第２フレーム
２ａ  端面
２ｂ  第２の開口部
３  接続具
４  本体
４ａ  一方の端面
４ｂ  他方の端面
４ｃ  周面
５  第１挿入部
５ａ  張出し部
６  第２挿入部
６ａ  分割部
７  取付ネジ
７ａ  第１の押圧部
８  第１部材
８ａ  第２の被押圧部
９  第２部材
９ａ  第４の被押圧部
１０  第１ガイド部材
１０ａ  第１の被押圧部
１０ｂ  第２の押圧部
１１  第２ガイド部材
１１ａ  第３の被押圧部
１１ｂ  第４の押圧部
１２  弾性材
１５  分割部材
１５ａ  雌ねじ部
１５ｂ  当接部
１６  取付ネジ
１０１  溝
１０２  突条部
２０３  通孔
５０１  第１分割部
６０１  第２分割部
【図１】
2005061564.tif 000003
【図２】
2005061564.tif 000004
【図３】
2005061564.tif 000005
【図４】
2005061564.tif 000006
【図５】
2005061564.tif 000007
【図６】
2005061564.tif 000008
【図７】
2005061564.tif 000009
【図８】
2005061564.tif 000010
【図９】
2005061564.tif 000011
【図１０】
2005061564.tif 000012
【図１１】
2005061564.tif 000013
【図１２】
2005061564.tif 000014
【図１３】
2005061564.tif 000015